(57)【要約】【課題】テレビ放送で視覚障害者向けに行われている音声多重放送において、視覚障害者は現在放送されている番組が、音声多重放送かどうかを知ることができなかった。本発明は視覚障害者に他の媒体を調査する必要なく現在放送されている番組が音声多重放送かどうかを知らしめることができるテレビジョン受信システムを提供することを目的とする。【解決手段】テレビが音声多重信号もしくはあらかじめ放送波に組み込まれた特殊信号を受信するとリモコンに情報を転送し、リモコンが振動する事によって視聴者に現在の番組が音声多重であることを認識させる。【選択図】図１
2007288309.tif 000002
【特許請求の範囲】
【請求項１】
音声多重信号であることを検出する音声多重信号検出手段と、
前記音声多重信号検出手段が音声多重信号を検出した旨を出力する場合にのみ所定フォーマットのリモコン信号をリモコンへ送信するリモコン信号送信手段と、
を有するテレビジョン受信機、
および前記リモコン信号を受信するリモコン信号受信手段と、
前記リモコン信号受信部の出力に基いて振動する振動手段と、
を有するリモコン
を備えたテレビジョン受信システム。
【発明の詳細な説明】
【技術分野】
【０００１】
本発明は、テレビジョン受信システムに関するものである。
【背景技術】
【０００２】
従来の技術として、聴覚障害者の身体に集音素子を携帯させ、各々集音した音の周波数を所定の複数個の音域に分けた各々複数個の信号とし、そして両手の複数本の指の各々にその信号を機械的振動として左右対称に割り当て、該指を介して外来音の音域、振幅の大きさ、及び振幅の差とを弁別認識せしめるものがあった（特許文献１参照。）。
【特許文献１】特許第３１７２８２７号公報
【発明の開示】
【発明が解決しようとする課題】
【０００３】
しかしながら上記の従来の構成では、視覚障害者向けに音声多重放送が行われているテレビ放送においてテレビの設定として音声多重機能がオフに設定されている場合は、視覚障害者は現在放送されている番組が、音声多重放送かどうかを知ることができないという問題点を有していた。
【０００４】
本発明は上記従来の問題点を解決するもので、視覚障害者に他の媒体を調査する必要なく現在放送されている番組が音声多重放送かどうかを知らしめることができるテレビジョン受信システムを提供することを目的とする。
【課題を解決するための手段】
【０００５】
この目的を達成するために本発明のテレビジョン受信システムは、音声多重信号であることを検出する音声多重信号検出手段と、前記音声多重信号検出手段が音声多重信号を検出した旨を出力する場合にのみ所定フォーマットのリモコン信号をリモコンへ送信するリモコン信号送信手段と、を有するテレビジョン受信機、および前記リモコン信号を受信するリモコン信号受信手段と、前記リモコン信号受信部の出力に基いて振動する振動手段と、を有するリモコンを備えた構成を有している。
【発明の効果】
【０００６】
以上のように本発明は、視覚障害者に他の媒体を調査する必要なく現在放送されている番組が音声多重放送かどうかを知らしめることができるという優れた効果が得られる。
【発明を実施するための最良の形態】
【０００７】
（実施の形態１）
以下、本発明の実施の形態１について図面を参照しながら説明する。
【０００８】
図１は本発明の実施の形態１におけるテレビジョン受信システムの構成を示すブロック図である。アナログ放送用チューナ１にて受信したアナログ映像信号はライン１４を通ってマイコン５と映像信号処理ＩＣ７に入力される。映像信号処理ＩＣ７にて画質処理が行われた後、表示デバイス８にて映像として表示される。アナログ用チューナ１からは音声ＩＦ信号がライン１２を通って音声信号処理ＩＣ２に入力される。音声信号処理ＩＣ２にて、例えばバス、トレブルの加工処理が行われた後、音声アンプ３にて増幅されスピーカ４から音声が出力される。テレビジョン受信システムからリモコン１６へは、リモコン信号発信器６から、あらかじめ決められたコードを発信する。リモコン１６からの信号は、リモコン信号受信器１７にて受信し、マイコン５で解読される。一方、デジタル放送は、デジタル放送用チューナ９にて受信し、復調ＩＣ１０にてトランスポートストリームに復号化し、トランスポートストリーム・ＭＰＥＧデコーダ１１にてアナログ映像信号に変換され、アナログ映像信号ライン１５を通ってマイコン５と映像信号処理ＩＣ７に入力される。その後は、アナログ放送での受信と同じである。
【０００９】
ライン１２を介して入力された音声ＩＦ信号に音声多重信号が重畳されていることが音声信号処理ＩＣ２にて判別された場合、音声信号処理ＩＣ２からマイコン５に伝達され、あらかじめ定められたフォーマットにてリモコン信号発信器６を介してリモコン１６に送られる。リモコン１６が、この信号を受信するとリモコンが振動するものである。あらかじめ定めたフォーマットとは、例えば家製協コードのうちの１つでよい。
【００１０】
図２は、本発明の実施の形態１における映像信号に組み込む信号を示している。
図２（ａ）は、音声多重信号が含まれていないときの波形図である。図２（ｂ）は、音声多重信号が含まれているときの波形図である。垂直帰線期間２０の中に音声多重信号明示ビット列２２があり、これらは、垂直帰線期間内の等価パルスからライン２２までの間であればどこに重畳されていても良い。電圧のレベル検知を含む１ビットもしくは複数のビット信号に変換され重畳される。また、この音声多重信号明示ビット内には誤り訂正のパリティビットを１ビットもしくは複数ビットを含んでも良い。図は便宜上ＰＡＬにて説明を行っているがＮＴＳＣにても同様の効果が得られる。
【００１１】
図３は、本発明の実施の形態１におけるテレビジョン受信システムの処理を示すフローチャートである。Ｓ３１は、音声ＩＦに音声多重信号が重畳されているかどうか、もしくは映像信号に音声多重信号明示ビットが重畳されているかどうかを判断する。重畳されていればＳ３２にてリモコン１６に信号を発信する。ここまでがテレビジョン受信システム側の処理である。Ｓ３３は、リモコン１６にてテレビジョン受信システムが発信した信号を受信処理する。テレビジョン受信システムの使用者が自由に設定可能なようにリモコン１６にはあらかじめ設けたスイッチをもって振動のオンオフができる。Ｓ３４にてこのスイッチがオンしているかオフしているか判断し、オンしている場合はＳ３５にてリモコンを振動させる。
【００１２】
図４は、本発明の実施の形態１におけるテレビジョン受信システムの他の処理を示すフローチャートである。テレビジョン受信システムには、使用者が自由に設定が可能なようにリモコン１６の振動のオンオフのスイッチを設けている。言い換えると振動用の信号発信のオンオフスイッチである。Ｓ４１は、音声ＩＦに音声多重信号が重畳されているかどうか、もしくは映像信号に音声多重信号明示ビットが重畳されているかどうかを判断する。重畳されていればＳ４２にてリモコンに信号を発信するかどうか判断する。あらかじめテレビジョン受信システムに設けてあるスイッチがオンの場合、Ｓ４３にてリモコンに信号を発信する。Ｓ４４にてリモコンが信号を受信し、Ｓ４５にてリモコンを振動させるものである。
【００１３】
以上のように本実施の形態１によれば、視覚障害者に他の媒体を調査する必要なく現在放送されている番組が音声多重放送かどうかを知らしめることができる。
【産業上の利用可能性】
【００１４】
本発明のテレビジョン受信システムによれば、視覚障害者に他の媒体を調査する必要なく現在放送されている番組が音声多重放送かどうかを知らしめることができる。
【図面の簡単な説明】
【００１５】
【図１】本発明の実施の形態１におけるテレビジョン受信システムの構成を示すブロック図
【図２】本発明の実施の形態１におけるシステムの音声多重信号明示ビット列を例示した説明図
【図３】本発明の実施の形態１におけるテレビジョン受信システムの処理を示すフローチャート
【図４】本発明の実施の形態１におけるテレビジョン受信システムの処理を示すフローチャート
【符号の説明】
【００１６】
１    アナログ放送用チューナ
２    音声信号処理ＩＣ
３    音声アンプ
４    スピーカ
５    マイコン
６    リモコン信号発信器
７    映像信号処理ＩＣ
８    表示デバイス
９    デジタル放送用チューナ
１０    復調ＩＣ
１１    トランスポートストリーム・ＭＰＥＧデコーダ
１２    ＳＩＦライン
１３    マイコン間通信ライン
１４    アナログ放送のアナログ映像信号ライン
１５    デジタル放送のアナログ映像信号ライン
１６    リモコン
１７    リモコン信号受信器
１８    音声信号処理ＩＣとマイコン間の通信ライン
【図１】
2007288309.tif 000003
【図３】
2007288309.tif 000004
【図４】
2007288309.tif 000005
【図２】
2007288309.tif 000006